【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
治療用量送出用ワイヤー要素（１）、及び位置決め及び案内部分（２Ａ）を含む静脈治療集成体であって、治療用量送出用ワイヤー要素（１）が、可撓性でありかつその長さの一部にわたって血管（Ｖ）中に長手方向に挿入されることができ、位置決め及び案内部分（２Ａ）が、この位置決め及び案内部分（２Ａ）によって治療用量送出用ワイヤー要素（１）の操作を可能にするように治療用量送出用ワイヤー要素（１）と一体化され、前記位置決め及び案内部分（２Ａ）が、その長さの方向に治療用量送出用ワイヤー要素（１）の第一部分（１１０ａ）を並進で案内するための少なくとも一つの第一案内手段（２００ａ，２００ｂ，２００ｃ）を含み、治療用量送出用ワイヤー要素（１）が、前記位置決め及び案内部分（２Ａ）の前記第一案内手段（２００ａ，２００ｂ，２００ｃ）に対してその長さの方向にスライドすることができ、前記位置決め及び案内部分（２Ａ）が、駆動システム（４）に対してその除去可能な装着を可能にする第一機械的集成手段（２０２，２０３）を含み、治療用量送出用ワイヤー要素の前記第一部分（１１０ａ）が、治療用量送出用ワイヤー要素（１）をその長さの方向で少なくとも第一方向（Ｒ）で駆動するために駆動システム（４）の駆動手段と係合されることができるように位置決め及び案内部分（２Ａ）によって位置決めされかつ案内されることができる、静脈治療集成体。
【請求項２】
治療用量送出用ワイヤー要素（１）の前記第一部分（１１０ａ）が、アクセス可能であるか、又はアクセス可能にすることができる、請求項１に記載の静脈治療集成体。
【請求項３】
治療用量送出用ワイヤー要素（１）が前記駆動手段に対してその長さの方向の変位を持つように、治療用量送出用ワイヤー要素（１）をその長さの方向で少なくとも一つの第一方向（Ｒ）に駆動するために駆動システム（４）の駆動手段と係合させることができるように、治療用量送出用ワイヤー要素（１）の前記第一部分（１１０ａ）が、位置決め及び案内部分（２Ａ）によって位置決め及び案内されることができる、請求項１又は２に記載の静脈治療集成体。
【請求項４】
静脈治療集成体が、治療用量送出用ワイヤー要素（１）の第二部分の第二案内手段（２０１）を含むものであり、第二案内手段（２０１）が、それを少なくとも１／４回転、好ましくは少なくとも１／２回転させることによって治療用量送出用ワイヤー要素（１）の第二部分を並進で案内するか、及び／又は、位置決め及び案内部分（２Ａ）の一体化部分を形成する、請求項１〜３のいずれかに記載の静脈治療集成体。
【請求項５】
治療用量送出用ワイヤー要素（１）が、第三部分（１１０ｃ）を含み、第三部分（１１０ｃ）が、治療用量送出用ワイヤー要素（１）の後端まで延び、かつ第三部分（１１０ｃ）が、位置決め及び案内部分（２Ａ）と一体化されていないか、又は位置決め及び案内部分（２Ａ）と一体化されているが、位置決め及び案内部分（２Ａ）から分離されることができる、請求項４に記載の静脈治療集成体。
【請求項６】
位置決め及び案内部分（２Ａ）が、単一部分、より好ましくは成形部分であるか、又はモノリシック集成体によって構成される、請求項１〜５のいずれかに記載の静脈治療集成体。
【請求項７】
静脈治療集成体が、可撓性ガイド（３）を含み、可撓性ガイド（３）の中に治療用量送出用ワイヤー要素（１）の前部分に通されており、前記治療用量送出用ワイヤー要素（１）が、可撓性ガイド（３）に対して長手方向にスライドすることができ、好ましくは可撓性ガイド（３）の後端（３１）が、治療用量送出用ワイヤー要素（１）の少なくとも第一駆動方向（Ｒ）において、かつ好ましくは治療用量送出用ワイヤー要素（１）の第一駆動方向（Ｒ）とは反対の方向（Ｆ）においても可撓性ガイド（３１）の後部分を軸方向にブロックするように、位置決め及び案内部分（２Ａ）と一体化されている、請求項１〜６のいずれかに記載の静脈治療集成体。
【請求項８】
静脈治療集成体が、貯蔵支持体（２Ｂ）を含み、その上に、治療用量送出用ワイヤー要素（１）の前端から治療用量送出用ワイヤー要素（１）の前記第一部分（１１０ａ）まで延びる治療用量送出用ワイヤー要素（１）の前部分の全て又は一部が巻かれており、好ましくは可撓性ガイド（３）が、治療用量送出用ワイヤー要素（１）の前部分が通されており、前記治療用量送出用ワイヤー要素（１）が、可撓性ガイド（３）に対して長手方向にスライドすることができ、可撓性ガイド（３）と、可撓性ガイド（３）中に通された治療用量送出用ワイヤー要素（１）の部分が、貯蔵支持体（２Ｂ）の上に巻かれている、請求項１〜７のいずれかに記載の静脈治療集成体。
【請求項９】
治療用量送出用ワイヤー要素（１）が、光ファイバーである、請求項１〜８のいずれかに記載の静脈治療集成体。
【請求項１０】
第一機械的集成手段（２０２，２０３）が、少なくとも一対の駆動ローラー（４０，４１）を含む駆動システム（４）に対して位置決め及び案内部分（２Ａ）の除去可能な装着を可能にし、治療用量送出用ワイヤー要素（１）の前記第一部分（１１０ａ）が、治療用量送出用ワイヤー要素（１）をその長さの方向で少なくとも第一方向（Ｒ）で駆動するため、駆動ローラー（４０，４１）間に位置決め及び案内部分（２Ａ）によって位置決め及び案内されることができる、請求項１〜９のいずれかに記載の静脈治療集成体。
【請求項１１】
静脈治療集成体が、治療用量送出用ワイヤー要素（１）の挿入領域（７）の近くで、患者の身体に対して可撓性ガイド（３）の前端部分（３０）を一時的に保持することを可能にする保持システム（５）をさらに含む、請求項１〜１０のいずれかに記載の静脈治療集成体。
【請求項１２】
保持システム（５）が、保持部分（５０）を含み、保持部分（５０）が、治療用量送出用ワイヤー要素（１）の挿入領域（７）の近くで、患者の身体に対して可撓性ガイド（３）の前端部分（３０）を一時的に保持するように患者の身体に付与されるように適応され、かつ可撓性ガイド（３）の前端部分（３０）に固定されるか、又は固定されることができる、請求項１１に記載の静脈治療集成体。
【請求項１３】
保持システム（５）が、固定手段（５１）を含み、固定手段（５１）が、治療用量送出用ワイヤー要素（１）の挿入領域（７）の近くで、患者の身体に付与される保持部分（５０）を一時的に固定することを可能にし、好ましくは皮膚に接着されるために好適な接着剤を含む、請求項１２に記載の静脈治療集成体。
【請求項１４】
位置決め及び案内部分（２Ａ）、治療用量送出用ワイヤー要素（１）、任意選択的に可撓性ガイド（３）、及び任意選択的に貯蔵支持体（２Ｂ）が、滅菌され、かつ気密包装中に置かれている、請求項１〜１３のいずれかに記載の静脈治療集成体。
【請求項１５】
第一機械的集成手段（２０２，２０３）が、位置決め及び案内部分（２Ａ）の迅速かつ工具不要の組み立てを可能にする、請求項１〜１４のいずれかに記載の静脈治療集成体。
【請求項１６】
請求項１〜１５のいずれかに記載の静脈治療集成体、及び駆動手段（４０，４１）を含む、好ましくは電動化された、駆動システム（４）を含む静脈治療装置であって、静脈治療装置が、駆動システム（４）に対する位置決め及び案内部分（２Ａ）の除去可能な装着を可能にするように位置決め及び案内部分（２Ａ）の第一機械的集成手段（２０２，２０３）と協働するように適応された第二機械的集成手段（４２，４３）をさらに含み、治療用量送出用ワイヤー要素（１）の前記第一部分（１１０ａ）が、駆動システム（４）の駆動手段と係合されることができるように位置され、駆動システム（４）の駆動手段が、好ましくは治療用量送出用ワイヤー要素（１）が前記駆動手段に対してその長さの方向の変位を持つように、治療用量送出用ワイヤー要素（１）がその長さの方向で少なくとも第一方向（Ｒ）に駆動することを可能にする、静脈治療装置。
【請求項１７】
駆動システム（４）の駆動手段が、少なくとも一対の駆動ローラー（４０，４１）を含み、第二機械的集成手段（４２，４３）が、駆動ローラー（４０，４１）の間の治療用量送出用ワイヤー要素（１）の第一部分（１１０ａ）の位置決めを可能にするように位置決め及び案内部分（２Ａ）の第一機械的集成手段（２０２，２０３）と協働するように適応される、請求項１６に記載の静脈治療装置。
【請求項１８】
駆動システム（４）の駆動手段が、治療用量送出用ワイヤー要素（１）の摩擦駆動を可能にする、請求項１６又は１７に記載の静脈治療装置。
【請求項１９】
静脈治療装置が、治療用量送出用ワイヤー要素（１）の後端に接続されることができる治療用量源（Ｌ）をさらに含み、好ましくは駆動システム（４）及び治療用量源（Ｌ）が、同じモノリシック集成体（Ｅ）の一体化部分である、請求項１６又は１７に記載の静脈治療装置。
【請求項２０】
治療用量送出用ワイヤー要素（１）が、光ファイバーであり、治療用量源（Ｌ）が、電磁放射線源である、請求項１９に記載の静脈治療装置。
【請求項２１】
請求項１６〜２０のいずれかに記載の静脈治療装置を調製するための方法であって、位置決め及び案内部分（２Ａ）が、駆動システム（４）に対して除去可能に装着され、治療用量送出用ワイヤー要素（１）の第一部分（１１ａ）が、駆動システムの駆動手段と係合されかつ少なくとも第一駆動方向に駆動されることができるように位置決めされる、方法。